(57)【要約】【課題】一斉放送時の音量を一定レベル以上に保つことを促す仕組みを提供する。【解決手段】各住戸にそれぞれ設置された住宅情報盤４１と、各住宅情報盤４１との間で通信を行う管理装置３０と、を有する防災設備において、管理装置３０は、音声を入力する音声入力部５３と、音声入力部５３に入力された音声を１ないし複数の住宅情報盤４１に一斉放送する音声送信部と、音声入力部５３へ入力された音声の音量レベルを画面表示する表示部５１と、を備える。【選択図】図２
2009049912.tif 000002
【特許請求の範囲】
【請求項１】
各住戸にそれぞれ設置された住宅情報盤と、各前記住宅情報盤との間で通信を行う管理装置と、を有する防災設備において、
前記管理装置は、
音声を入力する音声入力部と、
前記音声入力部に入力された音声を１ないし複数の前記住宅情報盤に一斉放送する音声送信部と、
前記音声入力部へ入力された音声の音量レベルを画面表示する表示部と、
を備えたことを特徴とする防災設備。
【請求項２】
前記管理装置は、
前記住宅情報盤を指定する操作部と、
前記操作部の指定内容を画面表示する指定住宅情報盤表示部と、
を備え、
前記表示部として前記指定住宅情報盤表示部を使用する
ことを特徴とする請求項１に記載の防災設備。
【請求項３】
前記指定住宅情報盤表示部は、
複数桁の数値を表示する表示器から構成され、
前記音量レベルに応じて、該表示器をバーグラフのように表示する
ことを特徴とする請求項２に記載の防災設備。
【発明の詳細な説明】
【技術分野】
【０００１】
本発明は、各住戸に設置された住宅情報盤に音声を一斉放送する機能を備えた防災設備に関するものである。
【背景技術】
【０００２】
従来、集合住宅用のインターホンシステムに関し、『住戸人が一斉放送を聞き逃すことを防ぐ。』ことを目的とした技術として、『住戸機４においては、警報監視盤１から伝送される一斉放送用音声信号を記憶部Ｍに記憶している。すなわち、警報監視盤１から伝送される一斉放送用音声信号を記憶部Ｍに記憶し、記憶部Ｍに記憶した一斉放送用音声信号を制御部４０で読み出してスピーカ４１ｂから一斉放送の音声を送出させるので、住戸人の不在時などに行われた一斉放送を住戸人が聞き逃すことを防ぐことができる。』というものが提案されている（特許文献１）。
【０００３】
【特許文献１】特開２００６−２２２８８７号公報（要約）
【発明の開示】
【発明が解決しようとする課題】
【０００４】
管理人室において、管理人が一斉放送を行う際、マイクの状態、例えば管理人の口元とマイクとの距離、などの発話の状況によっては、音量が小さくなって住戸側で一斉放送の音声が聞き取りにくい場合がある。
一斉放送時の元音量が小さいと、これを一旦記憶した音声を再生しても同様に聞き取りにくいことに変わりはなく、したがって上記特許文献１に記載の技術では、元音量が小さい場合に、一斉放送を聞き取れない住人が生じる可能性がある。
【０００５】
本発明は、上記のような課題を解決するためになされたものであり、一斉放送時の音量を一定レベル以上に保つことを促す仕組みを提供することを目的とする。
【課題を解決するための手段】
【０００６】
本発明に係る防災設備は、各住戸にそれぞれ設置された住宅情報盤と、各前記住宅情報盤との間で通信を行う管理装置と、を有する防災設備において、前記管理装置は、音声を入力する音声入力部と、前記音声入力部に入力された音声を１ないし複数の前記住宅情報盤に一斉放送する音声送信部と、前記音声入力部へ入力された音声の音量レベルを画面表示する表示部と、を備えるものである。
【発明の効果】
【０００７】
本発明に係る防災設備によれば、一斉放送を行う際の入力音量レベルを画面表示するので、一斉放送の発話者は自己の音声の大きさを容易に認識することができる。したがって、画面表示された音量が小さい場合にはより大きな声で発話するように促すことが可能である。
これにより、音量が小さいことに起因して住人が一斉放送を聞き逃す可能性を低減することができるので、特に緊急放送などの重要な一斉放送を確実に届けることができ、安全面の観点からも望ましい。
【発明を実施するための最良の形態】
【０００８】
実施の形態１．
図１は、本発明の実施の形態１に係る防災設備の全体構成図である。
図１に示す防災設備は、マンションなどの集合住宅に設置され、集合玄関、管理人室、各住戸の間で通信を行うものである。
図１において、集合玄関機１０は、集合住宅の集合玄関に設置され、住人が帰宅時に集合玄関の施錠を開錠したり、集合住宅の訪問者が各住戸を呼び出したりするために使用するものである。
管理装置としての管理室親機３０は、集合住宅の管理人室などに設置され、各住戸の呼び出しや、後述の一斉放送を行うために使用するもので、また住宅情報盤４１との間で通信を行うものである。管理室親機３０の詳細構成は、後述の図２〜図３で説明する。
住戸４０ａ、４０ｂは、集合住宅の各住戸である。図１では２つの住戸のみ表示し、その他の住戸は記載を省略した。以下、住戸４０ａの構成について説明するが、住戸４０ｂその他の住戸も、構成は同様である。
【０００９】
住戸４０ａは、住宅情報盤４１ａ、ドアホン４２ａを備える。
住宅情報盤４１ａは、住戸４０ａの宅内に設置され、住人が会話を行うための端末として使用され、また、訪問者をカメラ撮像した画像の画面表示を行う。
ドアホン４２ａは、住戸４０ａの玄関前に設置され、住戸４０ａの訪問者が宅内の住宅情報盤４１ａを呼び出す際に使用する。
なお、住宅情報盤４１には、図示を省略するが、火災感知器、ガス漏れ警報器などの防災用のセンサが接続されている。
【００１０】
以上、図１の全体構成図について説明した。次に、訪問者が住戸４０ａを訪れるものと仮定して、集合玄関機１０と住宅情報盤４１ａの動作例について、次のステップ（１）〜（９）で簡単に説明する。
【００１１】
（１）訪問者は、集合玄関に設置されている集合玄関機１０の操作ボタンを操作し、住戸４０ａの部屋番号を指定して、呼び出しボタンを押下する。操作ボタンで指定した部屋番号は、表示部１１に表示される。
（２）集合玄関機１０は、住戸４０ａ宛の呼び出し信号を出力する。
（３）通話制御装置２０は、住宅情報盤４１ａに呼び出し信号を送信する。
【００１２】
（４）住宅情報盤４１ａは、呼び出し信号を受信し、呼び出し音を出力して、住戸４０ａの住人に訪問者の来訪を知らせる。
（５）住戸４０ａの住人は、住宅情報盤４１ａの通話ボタンを押下する。その旨の信号が通話制御装置２０に送信される。
（６）通話制御装置２０は、集合玄関機１０と住宅情報盤４１ａの間の通信を確立する。訪問者と住戸４０ａの住人は、各端末を使用して対話を行う。
【００１３】
（７）住戸４０ａの住人は、解錠ボタンを押下する。その旨の信号が通話制御装置２０に送信される。
（８）通話制御装置２０（または集合玄関機１０）は、集合玄関のオートドアを解錠する。
（９）訪問者は住戸４０ａの玄関に移動し、ドアホン４２ａの呼び出しボタンを押下する。住宅情報盤４１ａは、その旨の信号をドアホン４２ａより受信し、呼び出し音を出力して、住人に訪問者の到着を知らせる。
【００１４】
以上が集合玄関機１０と住宅情報盤４１ａの動作例の概要である。なお、同様な通信手順で管理室親機３０と住宅情報盤４１ａの間でもインターホン通話を行うことができる。
【００１５】
また、管理室親機３０は、個別住戸宛の通話機能に加えて、全住戸宛の一斉放送を行う機能を備える。
【００１６】
一斉放送は、例えばエレベータの点検時や災害発生時など、全住戸に通知すべき内容を一括送信する際に用いられ、その性質上、各住人が確実に放送内容を受け取ることが望ましい。
しかし、オペレータの声が小さい場合や、オペレータの口元と管理室親機３０のマイクとの間の距離が離れて発話が行われた場合などに、発話音量が十分でなく、これにより一斉放送の音量が小さくなって放送内容が聞き取りにくい場合がある。
一斉放送の内容は、通常は全住人宛の重要な内容であることが多く、したがって一斉放送の音量を一定レベル以上に保つことが望まれる。そこで本発明では、一斉放送時の音量レベルを画面表示し、管理室親機３０のオペレータに、一定音量以上での発話を行うように促す構成を提案する。
以下、上記機能を実現するための管理室親機３０の詳細構成と動作例を説明する。
【００１７】
図２は、管理室親機３０の機能ブロック図である。
管理室親機３０は、表示部５１、放送ボタン５２、マイク５３、スピーカ５４、平滑回路５５、Ａ／Ｄ変換器５６、通話回路５７、制御部５８、判別値記憶部５９、送信回路６０、受信回路６１を備える。
【００１８】
表示部５１は、発話音量レベルを表示する画面表示装置であり、ＬＥＤ（Ｌｉｇｈｔ  Ｅｍｉｔｔｉｎｇ  Ｄｉｏｄｅ）、液晶表示装置などの表示デバイスで構成することができる。
放送ボタン５２は、一斉放送を行う際に管理室親機３０のオペレータが押下するボタンである。ボタン押下時の動作は後述する。
マイク５３、スピーカ５４は、管理室親機３０のオペレータが会話を行うための音声入力、音声出力を行うものである。
【００１９】
平滑回路５５は、マイク５３が出力する発話音声信号を平滑化し、Ａ／Ｄ変換器５６に出力する。
Ａ／Ｄ変換器５６は、平滑回路５５が出力する平滑化されたアナログ音声信号をデジタル化し、制御部５８に出力する。
通話回路５７は、マイク５３が出力する発話音声信号を制御部５８に出力し、また、スピーカ５４に受話音声信号を出力する。
【００２０】
制御部５８は、住宅情報盤４１との間の音声信号の送受信、一斉放送を行う旨の制御信号の送信、音量レベルの判定、表示部５１の表示内容の指示、などの制御動作を行う。制御部５８は、マイコンやＣＰＵなどの演算装置で構成することができる。
判別値記憶部５９は、後述の図３で説明する音量レベルテーブルを格納している。制御部５８は、この値に基づき音量レベルの判定を行う。判別値記憶部５９は、フラッシュメモリ、ＨＤＤ（Ｈａｒｄ  Ｄｉｓｋ  Ｄｒｉｖｅ）などの不揮発性の記憶装置で構成することができる。
【００２１】
送信回路６０、受信回路６１は、通話制御装置２０に接続されており、通話制御装置２０との間で音声信号や制御信号の送受信を行うとともに、制御部５８との間でこれらの信号を送受信する。
【００２２】
なお、本実施の形態１における「管理装置」は、管理室親機３０がこれに相当する。
また、「音声入力部」は、マイク５３がこれに相当する。
また、「音声送信部」は、通話回路５７、制御部５８、送信回路６０がこれに相当する。
【００２３】
図３は、判別値記憶部５９が格納している音量レベルテーブルの構成とデータ例を示すものである。音量レベルテーブルは、「音量レベル」列と「音量レベル信号値」列を有する。
「音量レベル」列は、マイク５３に入力された音声の音量レベルを５段階で数値化した各値を保持している。
「音量レベル信号値」列は、Ａ／Ｄ変換器５６が出力する、後述の音量レベル信号の値を保持している。
制御部５８は、音量レベルテーブルを参照することにより、後述の音量レベル信号値が５段階のいずれの音量レベルに相当するかを判定することができる。この音量判定動作の詳細については、次に説明する動作ステップで詳述する。
【００２４】
なお、図３の各数値は一例であることを付言しておく。例えば音量レベルの段階は５段階に限られるものではなく、任意の段階数を設定することができる。
【００２５】
次に、管理室親機３０が一斉放送を行う際の動作例について、以下のステップ（１）〜（８）で説明する。
【００２６】
（１）管理室親機３０のオペレータは、一斉放送を行う際、管理室親機３０が備える放送ボタン５２を押下する。制御部５８に、放送ボタン５２が押下された旨の信号が出力される。
（２）制御部５８は、一斉放送を行う旨の制御信号を、送信回路６０を介して各住戸４０の住宅情報盤４１に送信する。通話制御装置２０は、同制御信号を送信回路６０より受け取り、各住戸４０の住宅情報盤４１に同制御信号を送信する。
（３）各住戸４０の住宅情報盤４１は、一斉放送を行う旨の信号を受信し、受話待機状態となる。
【００２７】
（４）管理室親機３０のオペレータは、マイク５３を用いて、一斉放送内容を発話する。マイク５３は発話音声信号を通話回路５７に出力する。制御部５８、送信回路６０、通話制御装置２０を介して、一斉放送の音声信号が各住宅情報盤４１に送信され、各住宅情報盤４１にて音声出力される。
（５）また、マイク５３が出力する発話音声信号は、平滑回路５５にも出力される。発話音声信号は、平滑回路５５、Ａ／Ｄ変換器５６を介して、発話音量レベルを表す音量レベル信号に変換され、制御部５８に出力される。
【００２８】
（６）制御部５８は、音量レベル信号を受け取ると、判別値記憶部５９より図３で説明した音量レベルテーブルの各エントリを読み取り、受け取った音量レベル信号が５段階のいずれの音量レベルに相当するかを判定する。ここでは、音量レベル「３」に相当するものと仮定する。
（７）制御部５８は、表示部５１に、入力された音声の音量レベルが「３」である旨の表示を行うように指示する。表示部５１は、制御部５８の指示に基づき、音量レベルが「３」である旨を、例えばその数値にて画面表示する。
（８）管理室親機３０のオペレータは、表示部５１の音量レベル表示を見て、発話音量が小さいと判断する場合は、声をより大きくするなどの対応を行う。
【００２９】
以上の説明において、一斉放送時の発話音量レベルを表示部５１で画面表示することを説明したが、音量レベルの画面表示は放送ボタン５２押下時以外に行うようにしてもよい。例えば、放送を行う前にテスト的に発話を行い、声の大きさの程度をあらかじめ確認するような使用例が考えられる。
【００３０】
また、図３の説明において、音量レベルと音量レベル信号値の対応関係をテーブル形式で格納した例を示したが、その格納形式はテーブル形式に限られるものではなく、対応関係が得られるものであれば、任意の形式を用いることができる。またデータ形式も、例えばＣＳＶ形式のデータファイルなど任意のものを用いることができる。
あるいは、制御部５８の動作を規定するプログラム中にソフトウェアとして定義されたテーブルとして構成してもよい。
【００３１】
また、本実施の形態１では詳細を説明しなかったが、集合玄関機１０やドアホン４２がカメラを備える場合には、カメラの映像信号を住宅情報盤４１に送信し、住宅情報盤４１はこれを画面表示する構成を備える。以後の実施の形態についても同様である。
【００３２】
以上のように、本実施の形態１によれば、表示部５１は一斉放送時の発話音量を画面表示するので、管理室親機３０のオペレータは、発話音量が小さいときにこれを自ら容易に認識することができる。
そのため、一斉放送の発話音量が小さい際に、より大きな声で発話するようにオペレータに促す効果があり、各住戸に届けられる放送音声の音量が小さいために聞き取りづらい、といった不都合を回避することができる。
【００３３】
また、どの程度の音量であれば一斉放送の音量として適切であるかは、個々の設置環境によって異なるものであるため、設置環境に応じて音量レベル表示の閾値を調整する必要が生じる可能性があるが、図３の音量レベルテーブルが保持するデータを書き換えるのみでこのような調整が可能であるため、調整の手間が軽減される。
【００３４】
例えば、管理室親機３０のオペレータにより大きな声で発話してほしい環境に設置する場合には、図３の「音量レベル信号値」列の値を大きめに設定すればよい。
この場合、より大きな音量レベルで発話しないと、表示部５１に画面表示される音量レベルの段階が上がらないので、管理室親機３０のオペレータは、より大きな声で発話を行うように自然に誘導されることになる。
【００３５】
実施の形態２．
実施の形態１では、音量レベルを表示する表示部５１を設け、管理室親機３０のオペレータが大きな声で一斉放送を行うように促す構成を説明した。この表示部５１は、音量レベルを表示するために新たに設けてもよいが、別の情報を表示するために設けられている既存の表示部を転用することも考えられる。
そこで、本発明の実施の形態２では、部屋番号を表示するために設けられている番号表示部を音量レベル表示のために使用する例を説明する。
本実施の形態２において、管理室親機３０は、図２の表示部５１に代えて、番号表示部６２を備える。その他の構成は図２と同様であるため、説明を省略する。
表示部としての番号表示部は、管理室親機３０より個別の住戸を指定して呼び出しを行う際に、操作ボタン（図示せず）で指定した部屋番号を画面表示するためのものである。
また、住戸で火災などの異常が生じた場合には、住戸から火災信号が送信され、この番号表示部６２に住戸盤号が表示される。
【００３６】
なお、本実施の形態２における「指定住宅情報盤表示部」は、番号表示部６２がこれに相当する。
また、「操作部」は、住戸４０の部屋番号を指定する操作ボタンがこれに相当する。
【００３７】
図４は、番号表示部６２の画面表示例である。ここでは部屋番号「２０２」を表示している場合の例とする。
番号表示部６２は、通常の数値を表示する７セグメントＬＥＤ表示器を４つ使用して構成され、４桁の数値を表示できるようになっている。管理室親機３０のオペレータが個別の住戸を呼び出す際には、管理室親機３０が備える番号操作ボタンを押下して部屋番号を指定し、呼び出しを行う。このとき押下された番号操作ボタンに対応する数値が、図４のような表示形式で番号表示部６２に表示される。
【００３８】
個別の住戸を指定して呼び出すことのできる管理室親機３０は、図４のような部屋番号を表示する表示器を番号表示部６２として備えていることが多い。
図４の表示器の例では４桁の数値を画面表示できるため、数段階の音量レベルを表示するに十分な表示領域を備えているといえる。そこで、これを用いて一斉放送時の音量レベル表示を行うことを考える。
【００３９】
図５は、番号表示部６２を用いて音量レベルを表示する例を示すものである。ここでは実施の形態１で説明した図３のように、音量レベル「０」〜「４」までの５段階のレベル表示を行うものとする。
各音量レベルは、番号表示部６２の７セグメントＬＥＤ表示器を用いて、以下のように画面表示される。
【００４０】
（ａ）音量レベル０：ＬＥＤは点灯しない。
（ｂ）音量レベル１：左端の７セグメントＬＥＤ表示器の下端ＬＥＤを点灯させる。
（ｃ）音量レベル２：音量レベル１の表示に加え、左から２番目の７セグメントＬＥＤ表示器を、小円状に点灯させる。
（ｄ）音量レベル３：音量レベル２の表示に加え、右から２番目の７セグメントＬＥＤ表示器を、長円状（即ち数値の「０」）に点灯させる。
（ｅ）音量レベル４：音量レベル３の表示に加え、右端の７セグメントＬＥＤ表示器を、長円状に点灯させる。
【００４１】
図５のような、あたかも音量レベルをバーグラフのような点灯状態、つまり右側の桁の表示器側に音量レベルに応じて表示される高さが大きくなるように表示する音量レベルの表示方法によれば、管理室親機３０のオペレータは、自己の発話音量レベルを視覚的に把握できるので、声の大きさが適切であるか否か、容易かつ即座に判断することができ、管理室親機３０のオペレータにとって便宜であるとともに、各住戸の住人にとっても、一斉放送を聞き逃す可能性が低くなるという利点を有する。
【００４２】
一斉放送時の音量レベル表示に係る管理室親機３０の動作手順は、実施の形態１で説明したものと同様である。制御部５８は、番号表示部６２に音量レベルを表示するよう指示する際には、いずれのＬＥＤを点灯させるかを指示する。
【００４３】
なお、番号表示部６２で一斉放送時の音量レベルを画面表示すると、部屋番号を表示することができないが、一斉放送時は個別の部屋番号を指定する必要はないため、部屋番号の表示は不要である。したがって、一斉放送時に部屋番号が表示できなくとも、特段の不都合はない。
【００４４】
以上の実施の形態２の説明において、音量レベルを図形により視覚的に表示する例を示したが、表示方法はこれに限られるものではなく、音量レベルを数値で表示してもよい。この場合、制御部５８は、判定した音量レベルに対応する数値を画面表示するように、番号表示部６２の各ＬＥＤを点灯制御する。
同様に、図形の形状は図５で説明したものに限られるものではなく、その他の形状を用いて音量レベルを表してもよいし、さらには音量レベルの段階も５段階に限られるものではない。
【００４５】
また、以上の実施の形態２に説明において、番号表示部６２が７セグメントＬＥＤ表示器で構成されているものを例としたが、番号表示部６２は、必ずしも７セグメントＬＥＤ表示器で構成されている必要はない。
即ち、管理室親機３０が、指定した部屋番号の表示などにより通信先の住宅情報盤４１を表す情報を画面表示する表示手段を備えていれば、音量レベル表示に必要十分な表示領域を備えているといえるので、これを音量レベル表示に転用することが可能となるのである。
【００４６】
また、本実施の形態２においても、実施の形態１と同様に、一斉放送時以外のテスト使用時などに、番号表示部６２を用いて音量表示を行うようにしてもよい。ただし、部屋番号の表示という本来の用途を優先することが望ましいであろう。
【００４７】
以上のように、本実施の形態２によれば、操作ボタンで指定した部屋番号を画面表示するための番号表示部６２を用いて、一斉放送時の音量レベルを画面表示するので、音量レベル表示のために新たに表示部を設ける必要がなく、部品点数の削減や製造コスト削減の観点から有利である。
【００４８】
また、画面表示部が番号表示部６２のみの１箇所に集中しているので、管理室親機３０のオペレータは主に番号表示部６２の表示内容のみに注意していれば必要な情報が得られるため、管理室親機３０の操作手順が簡易化され、オペレータにとって便宜である。
【００４９】
また、図５で説明したような図形によって視覚的に音量レベルを画面表示するので、管理室親機３０のオペレータが自己の発話音量を把握しやすいという効果がある。
【００５０】
実施の形態３．
以上の実施の形態１〜２では、管理室親機３０側で、一斉放送時の音量レベルを画面表示する構成と動作例を説明した。これは、放送音声の送信側で音量レベル表示を行うことを意味している。
一方で、受信側の住宅情報盤４１で受信音量レベルを画面表示することも可能である。本発明の実施の形態３では、受話音量レベルの画面表示について説明する。なお、管理室親機３０の各部の構成は、実施の形態１〜２で説明したものと同様であるため、説明を省略する。
【００５１】
図６は、一斉放送の受信音量レベルを画面表示する例を示すものである。
管理室親機３０のオペレータは、実施の形態１〜２で説明したように、放送ボタン５２を押下し、管理室親機３０より各住宅情報盤４１へ、一斉放送を行う旨の制御信号が送信される。次に、管理室親機３０のオペレータは、自己の音量レベルを画面表示で確認しながら、一斉放送の放送内容を発話する。
【００５２】
図６（ｂ）は、住宅情報盤４１の画面表示例を示すものである。住宅情報盤４１は、一斉放送を行う旨の制御信号を受信すると、放送待機状態となり、画面下部にその旨を文字等で表示する。
放送音声を受信すると、その音量レベルを判定し、画面右端に棒グラフ状の図形で音量レベルを表示する。ここでは、管理室親機３０と同様に、音量レベル「０」〜「４」の５段階でレベル表示する例を示した。
【００５３】
一斉放送時の元の発話音声が小さいと、各住宅情報盤４１で放送音声が聞き取りにくくなるため、原則として放送音声の送信側で音量レベルを一定以上に確保することが望ましい。これに加え、受信側でも音量レベルを画面表示することにより、以下のように送信側を補完することができる。
【００５４】
（１）画面表示された音量レベルが小さい場合は、住宅情報盤４１で音量調整ダイヤルなどを操作して音量ゲインを調整して音量を上げる。あるいは、管理室に連絡して、音量が小さい旨を管理室オペレータに通知する。
（２）画面表示された音量レベルが大きいにもかかわらず、実際に聞こえる音量が小さい場合には、住宅情報盤４１のスピーカなどに故障が生じている可能性がある。画面表示によりこのような故障の早期発見が可能となる。
【００５５】
実施の形態４．
以上の実施の形態１〜３では、音量レベルを画面表示する構成や動作例を説明したが、音量レベルのみでなく、音声の周波数スペクトルをグラフィックイコライザ等で画面表示するようにしてもよい。
ある特定の周波数領域のみレベルが低いような場合には、いずれかの部位に故障が生じた可能性があり、故障の早期発見に資する。
【００５６】
また、音声信号の伝送路等の特性によっては、ある周波数領域が減衰しやすいような場合も考えられるため、このような環境下では、減衰しやすい周波数領域のゲインを上げて、各住人が一斉放送を聞き取りやすいように調整することもできる。
【００５７】
このような周波数スペクトルの画面表示は、管理室親機３０で行ってもよいし、住宅情報盤４１で行ってもよい。
【図面の簡単な説明】
【００５８】
【図１】実施の形態１に係る防災設備の全体構成図である。
【図２】管理室親機３０の機能ブロック図である。
【図３】判別値記憶部５９が格納している音量レベルテーブルの構成とデータ例を示すものである。
【図４】番号表示部６２の画面表示例である。
【図５】番号表示部６２を用いて音量レベルを表示する例を示すものである。
【図６】一斉放送の受信音量レベルを画面表示する例を示すものである。
【符号の説明】
【００５９】
１０  集合玄関機、１１  表示部、２０  通話制御装置、３０  管理室親機、４０ａ〜４０ｂ  住戸、４１ａ〜４１ｂ  住宅情報盤、４２ａ〜４２ｂ  ドアホン、５１  表示部、５２  放送ボタン、５３  マイク、５４  スピーカ、５５  平滑回路、５６  Ａ／Ｄ変換器、５７  通話回路、５８  制御部、５９  判別値記憶部、６０  送信回路、６１  受信回路、６２  番号表示部。
【図１】
2009049912.tif 000003
【図２】
2009049912.tif 000004
【図３】
2009049912.tif 000005
【図４】
2009049912.tif 000006
【図５】
2009049912.tif 000007
【図６】
2009049912.tif 000008